(57)【要約】  回転電機の電機子鉄心において、１以上のコアブロック連結体は、１以上の第１のコア片配列層と１以上の第２のコア片配列層とが積層されることによって構成されている。１以上のコアブロック連結体において互いに隣り合う２つのコアブロック同士は、回転連結部によって連結されている。第１のコア片配列層において互いに隣り合う２つの第１のコア片の間には、ティース側とは反対側へ開放された第１の切欠き部が形成されている。第１の切欠き部には、回転連結部によって互いに連結された２つのコアブロック同士を固定する第１の溶接部が設けられている。
2019087339.tif 000002
【特許請求の範囲】
【請求項１】
複数のコアブロックを有する１以上のコアブロック連結体
を備え、
前記複数のコアブロックのそれぞれは、バックヨークと、前記バックヨークから突出するティースとを有し、
前記１以上のコアブロック連結体は、前記バックヨーク同士が順次連結された状態で前記ティースを径方向内側に向けて円環状に配置されており、
前記１以上のコアブロック連結体は、複数のコア片のそれぞれが第１のコア片として並ぶ１以上の第１のコア片配列層と、複数のコア片のそれぞれが第２のコア片として並ぶ１以上の第２のコア片配列層とが積層されることによって構成されており、
前記複数のコアブロックのそれぞれは、前記第１のコア片と前記第２のコア片とが積層されることによって構成されており、
前記１以上のコアブロック連結体において互いに隣り合う２つの前記コアブロック同士は、回転連結部によって連結されており、
前記回転連結部では、一方の前記コアブロックの前記第１のコア片の連結側端部と、他方の前記コアブロックの前記第２のコア片の連結側端部とが互いに重なり、かつ前記第１のコア片及び前記第２のコア片のそれぞれの連結側端部同士が連結軸を中心に回転可能に連結されており、
前記第１のコア片配列層において互いに隣り合う２つの前記第１のコア片の間には、前記ティース側とは反対側へ開放された第１の切欠き部が形成されており、
前記第１の切欠き部には、前記回転連結部によって互いに連結された２つの前記コアブロック同士を固定する第１の溶接部が設けられている回転電機の電機子鉄心。
【請求項２】
前記第１のコア片及び前記第２のコア片が積層されている方向に沿って前記コアブロックを見たとき、前記第２のコア片において前記第１の切欠き部と一致する位置には、前記ティース側とは反対側へ開放された第２の補助切欠き部が形成されており、
前記第１の切欠き部及び前記第２の補助切欠き部には、前記第１の溶接部が連続して設けられている請求項１に記載の回転電機の電機子鉄心。
【請求項３】
前記第２のコア片配列層において互いに隣り合う２つの前記第２のコア片の間には、前記ティース側とは反対側へ開放された第２の切欠き部が形成されており、
前記第２の切欠き部には、前記回転連結部によって互いに連結された２つの前記コアブロック同士を固定する第２の溶接部が設けられている請求項１又は請求項２に記載の回転電機の電機子鉄心。
【請求項４】
前記第１のコア片及び前記第２のコア片が積層されている方向に沿って前記コアブロックを見たとき、前記第１のコア片において前記第２の切欠き部と一致する位置には、前記ティース側とは反対側へ開放された第１の補助切欠き部が形成されており、
前記第２の切欠き部及び前記第１の補助切欠き部には、前記第２の溶接部が連続して設けられている請求項３に記載の回転電機の電機子鉄心。
【請求項５】
前記第１のコア片配列層及び前記第２のコア片配列層の少なくともいずれかにおいて互いに隣り合う２つの前記コア片には、前記連結軸の周方向について互いに接触する第１及び第２の接触端面が形成されており、
前記第１及び第２の接触端面のうち、一方には、凹部が設けられ、他方には、前記凹部に嵌る突起が設けられており、
前記凹部及び前記突起は、前記連結軸を中心とする共通の円弧に沿って配置されている請求項１〜請求項４のいずれか一項に記載の回転電機の電機子鉄心。
【請求項６】
バックヨークと、前記バックヨークから突出するティースとをそれぞれ有する複数のコアブロック
を備え、
前記複数のコアブロックのそれぞれの前記バックヨーク同士が順次連結されたコアブロック連結体であって、
前記コアブロック連結体は、複数のコア片のそれぞれが第１のコア片として並ぶ１以上の第１のコア片配列層と、複数のコア片のそれぞれが第２のコア片として並ぶ１以上の第２のコア片配列層とが積層されることによって構成されており、
前記複数のコアブロックのそれぞれは、前記第１のコア片と前記第２のコア片とが積層されることによって構成されており、
互いに隣り合う２つの前記コアブロック同士は、回転連結部によって連結されており、
前記回転連結部では、一方の前記コアブロックの前記第１のコア片の連結側端部と、他方の前記コアブロックの前記第２のコア片の連結側端部とが互いに重なり、かつ前記第１のコア片及び前記第２のコア片のそれぞれの連結側端部同士が連結軸を中心に回転可能に連結されており、
前記第１のコア片配列層において互いに隣り合う２つの前記第１のコア片の間には、前記ティース側とは反対側へ開放された溶接用開先としての第１の切欠き部が形成されるコアブロック連結体。
【請求項７】
前記第１のコア片及び前記第２のコア片が積層されている方向に沿って前記コアブロックを見たとき、前記第２のコア片において前記第１の切欠き部と一致する位置には、前記ティース側とは反対側へ開放された溶接用開先としての第２の補助切欠き部が形成されている請求項６に記載のコアブロック連結体。
【請求項８】
前記第２のコア片配列層において互いに隣り合う２つの前記第２のコア片の間には、前記ティース側とは反対側へ開放された溶接用開先としての第２の切欠き部が形成されている請求項６又は請求項７に記載のコアブロック連結体。
【請求項９】
前記第１のコア片及び前記第２のコア片が積層されている方向に沿って前記コアブロックを見たとき、前記第１のコア片において前記第２の切欠き部と一致する位置には、前記ティース側とは反対側へ開放された溶接用開先としての第１の補助切欠き部が形成されている請求項８に記載のコアブロック連結体。
【請求項１０】
前記第１のコア片配列層及び前記第２のコア片配列層の少なくともいずれかにおいて互いに隣り合う２つの前記コア片には、前記連結軸の周方向について互いに接触する第１及び第２の接触端面が形成されており、
前記第１及び第２の接触端面のうち、一方には、凹部が設けられ、他方には、前記凹部に嵌る突起が設けられており、
前記凹部及び前記突起は、前記連結軸を中心とする共通の円弧に沿って配置されている請求項６〜請求項９のいずれか一項に記載のコアブロック連結体。
【請求項１１】
バックヨークと、前記バックヨークから突出するティースとをそれぞれ含む複数のコアブロックを有し、前記複数のコアブロックのそれぞれの前記バックヨーク同士が順次連結された１以上のコアブロック連結体を作製する連結体作製工程、及び
前記連結体作製工程の後、前記ティースを径方向内側に向けて前記１以上のコアブロック連結体を円環状に配置し、互いに隣り合う２つの前記コアブロック同士を溶接によって固定する溶接工程
を備え、
前記１以上のコアブロック連結体は、複数のコア片のそれぞれが第１のコア片として並ぶ１以上の第１のコア片配列層と、複数のコア片のそれぞれが第２のコア片として並ぶ１以上の第２のコア片配列層とが積層されることによって構成されており、
前記複数のコアブロックのそれぞれは、前記第１のコア片と前記第２のコア片とが積層されることによって構成されており、
前記１以上のコアブロック連結体において互いに隣り合う２つの前記コアブロック同士は、回転連結部によって連結されており、
前記回転連結部では、一方の前記コアブロックの前記第１のコア片の連結側端部と、他方の前記コアブロックの前記第２のコア片の連結側端部とが互いに重なり、かつ前記第１のコア片及び前記第２のコア片のそれぞれの連結側端部同士が連結軸を中心に回転可能に連結されており、
前記第１のコア片配列層において互いに隣り合う２つの前記第１のコア片の間には、前記ティース側とは反対側へ開放された第１の切欠き部が形成されており、
前記溶接工程では、前記コアブロック連結体とは別の溶加材を溶融しながら、前記第１の切欠き部に溶接を行う回転電機の電機子鉄心の製造方法。
【請求項１２】
前記第１のコア片及び前記第２のコア片が積層されている方向に沿って前記コアブロックを見たとき、前記第２のコア片において前記第１の切欠き部と一致する位置には、前記ティース側とは反対側へ開放された第２の補助切欠き部が形成されており、
前記溶接工程では、前記コアブロック連結体とは別の溶加材を溶融しながら、前記第１の切欠き部及び前記第２の補助切欠き部に連続して溶接を行う請求項１１に記載の回転電機の電機子鉄心の製造方法。
【請求項１３】
前記第２のコア片配列層において互いに隣り合う２つの前記第２のコア片の間には、前記ティース側とは反対側へ開放された第２の切欠き部が形成されており、
前記溶接工程では、前記コアブロック連結体とは別の溶加材を溶融しながら、前記第２の切欠き部に溶接を行う請求項１１又は請求項１２に記載の回転電機の電機子鉄心の製造方法。
【請求項１４】
前記第１のコア片及び前記第２のコア片が積層されている方向に沿って前記コアブロックを見たとき、前記第１のコア片において前記第２の切欠き部と一致する位置には、前記ティース側とは反対側へ開放された第１の補助切欠き部が形成されており、
前記溶接工程では、前記コアブロック連結体とは別の溶加材を溶融しながら、前記第２の切欠き部及び前記第１の補助切欠き部に連続して溶接を行う請求項１３に記載の回転電機の電機子鉄心の製造方法。
【請求項１５】
前記第１のコア片配列層及び前記第２のコア片配列層の少なくともいずれかにおいて互いに隣り合う２つの前記コア片には、前記連結軸の周方向について互いに接触する第１及び第２の接触端面が形成されており、
前記第１及び第２の接触端面のうち、一方には、凹部が設けられ、他方には、前記凹部に嵌る突起が設けられており、
前記凹部及び前記突起は、前記連結軸を中心とする共通の円弧に沿って配置されている請求項１１〜請求項１４のいずれか一項に記載の回転電機の電機子鉄心の製造方法。
【発明の詳細な説明】
【技術分野】
【０００１】
この発明は、モータ、発電機等として用いられる回転電機に含まれる回転電機の電機子鉄心、コアブロック連結体、及び回転電機の電機子鉄心の製造方法に関するものである。
【背景技術】
【０００２】
従来、環状に並ぶ複数のコアブロック同士が回転可能に連結されているモータの電機子鉄心が知られている（例えば特許文献１参照）。
【先行技術文献】
【特許文献】
【０００３】
【特許文献１】特許第３２７９２７９号公報
【発明の概要】
【発明が解決しようとする課題】
【０００４】
しかし、特許文献１に示されている従来のモータの電機子鉄心では、互いに隣り合う２つのコアブロック同士が回転可能に連結されていることから、電機子鉄心の形状を円環状に保つことが困難である。このため、従来のモータでは、円筒状のハウジングの内面に電機子鉄心を嵌めて電機子鉄心の形状を円環状に保つ必要がある。従って、従来のモータでは、モータの製造に手間がかかってしまうだけでなく、コストの低減化を図ることもできなくなってしまう。【０００５】
この発明は、上記のような課題を解決するためになされたものであり、生産性の向上を図ることができ、コストの低減化を図ることができる回転電機の電機子鉄心、コアブロック連結体、及び回転電機の電機子鉄心の製造方法を得ることを目的とする。
【課題を解決するための手段】
【０００６】
この発明による回転電機の電機子鉄心は、複数のコアブロックを有する１以上のコアブロック連結体を備え、複数のコアブロックのそれぞれは、バックヨークと、バックヨークから突出するティースとを有し、１以上のコアブロック連結体は、バックヨーク同士が順次連結された状態でティースを径方向内側に向けて円環状に配置されており、１以上のコアブロック連結体は、複数のコア片のそれぞれが第１のコア片として並ぶ１以上の第１のコア片配列層と、複数のコア片のそれぞれが第２のコア片として並ぶ１以上の第２のコア片配列層とが積層されることによって構成されており、複数のコアブロックのそれぞれは、第１のコア片と第２のコア片とが積層されることによって構成されており、１以上のコアブロック連結体において互いに隣り合う２つのコアブロック同士は、回転連結部によって連結されており、回転連結部では、一方のコアブロックの第１のコア片の連結側端部と、他方のコアブロックの第２のコア片の連結側端部とが互いに重なり、かつ第１のコア片及び第２のコア片のそれぞれの連結側端部同士が連結軸を中心に回転可能に連結されており、第１のコア片配列層において互いに隣り合う２つの第１のコア片の間には、ティース側とは反対側へ開放された第１の切欠き部が形成されており、第１の切欠き部には、回転連結部によって互いに連結された２つのコアブロック同士を固定する第１の溶接部が設けられている。【０００７】
また、この発明によるコアブロック連結体は、バックヨークと、バックヨークから突出するティースとをそれぞれ有する複数のコアブロックを備え、複数のコアブロックのそれぞれのバックヨーク同士が順次連結されたコアブロック連結体であって、コアブロック連結体は、複数のコア片のそれぞれが第１のコア片として並ぶ１以上の第１のコア片配列層と、複数のコア片のそれぞれが第２のコア片として並ぶ１以上の第２のコア片配列層とが積層されることによって構成されており、複数のコアブロックのそれぞれは、第１のコア片と第２のコア片とが積層されることによって構成されており、互いに隣り合う２つのコアブロック同士は、回転連結部によって連結されており、回転連結部では、一方のコアブロックの第１のコア片の連結側端部と、他方のコアブロックの第２のコア片の連結側端部とが互いに重なり、かつ第１のコア片及び第２のコア片のそれぞれの連結側端部同士が連結軸を中心に回転可能に連結されており、第１のコア片配列層において互いに隣り合う２つの第１のコア片の間には、ティース側とは反対側へ開放された溶接用開先としての第１の切欠き部が形成される。【０００８】
また、この発明による回転電機の電機子鉄心の製造方法は、バックヨークと、バックヨークから突出するティースとをそれぞれ含む複数のコアブロックを有し、複数のコアブロックのそれぞれのバックヨーク同士が順次連結された１以上のコアブロック連結体を作製する連結体作製工程、及び連結体作製工程の後、ティースを径方向内側に向けて１以上のコアブロック連結体を円環状に配置し、互いに隣り合う２つのコアブロック同士を溶接によって固定する溶接工程を備え、１以上のコアブロック連結体は、複数のコア片のそれぞれが第１のコア片として並ぶ１以上の第１のコア片配列層と、複数のコア片のそれぞれが第２のコア片として並ぶ１以上の第２のコア片配列層とが積層されることによって構成されており、複数のコアブロックのそれぞれは、第１のコア片と第２のコア片とが積層されることによって構成されており、１以上のコアブロック連結体において互いに隣り合う２つのコアブロック同士は、回転連結部によって連結されており、回転連結部では、一方のコアブロックの第１のコア片の連結側端部と、他方のコアブロックの第２のコア片の連結側端部とが互いに重なり、かつ第１のコア片及び第２のコア片のそれぞれの連結側端部同士が連結軸を中心に回転可能に連結されており、第１のコア片配列層において互いに隣り合う２つの第１のコア片の間には、ティース側とは反対側へ開放された第１の切欠き部が形成されており、溶接工程では、コアブロック連結体とは別の溶加材を溶融しながら、第１の切欠き部に溶接を行う。
【発明の効果】
【０００９】
この発明による回転電機の電機子鉄心、コアブロック連結体、及び回転電機の電機子鉄心の製造方法によれば、第１のコア片配列層において互いに隣り合う２つの第１のコア片の間に、ティース側とは反対側へ開放された溶接用開先としての第１の切欠き部が形成されている。このため、第１の切欠き部に溶接を行って第１の切欠き部に第１の溶接部を設けることにより、互いに隣り合う２つのコアブロック同士を高強度及び高剛性で固定することができる。従って、例えば円筒状のハウジングの内面に電機子鉄心を嵌める作業をなくすことができ、電機子鉄心の生産性の向上を図ることができる。さらに、電機子鉄心のコストの低減化も図ることができる。
【図面の簡単な説明】
【００１０】
【図１】この発明の実施の形態１による回転電機を示す平面図である。
【図２】図１の電機子鉄心におけるコアブロック連結体の一部を示す拡大平面図である。
【図３】図１の電機子鉄心のコアブロック連結体で積層されている第１のコア片配列層を示す平面図である。
【図４】図１の電機子鉄心のコアブロック連結体で積層されている第２のコア片配列層を示す平面図である。
【図５】図２のコアブロック連結体の一部を示す構成図である。
【図６】図３の第１及び第２の溶接部が設けられていない状態の第１のコア片配列層を示す平面図である。
【図７】図４の第１及び第２の溶接部が設けられていない状態の第２のコア片配列層を示す平面図である。
【図８】図６及び図７の第１のコア片配列層と第２のコア片配列層とが積層されて構成されたコアブロック連結体の一部を示す拡大構成図である。
【図９】図８のコアブロック連結体が展開されている状態を示す平面図である。
【図１０】図８のコアブロック連結体が円環状に配置されている状態を示す平面図である。
【図１１】この発明の実施の形態２による回転電機の電機子鉄心の要部を示す構成図である。
【図１２】この発明の実施の形態３による回転電機の電機子鉄心の要部を示す拡大平面図である。
【発明を実施するための形態】
【００１１】
以下、この発明の実施の形態について図面を参照して説明する。
実施の形態１．
図１は、この発明の実施の形態１による回転電機を示す平面図である。図において、回転電機１は、回転軸２と、回転軸２に固定された回転子３と、回転子３の外周を囲む円環状の電機子４とを有している。
【００１２】
回転軸２は、図示しない支持台であるハウジングに回転自在に水平に支持されている。回転子３は、回転軸２と同軸に配置されている。回転子３は、回転軸２の軸線を中心として回転軸２と一体に電機子４に対して回転可能になっている。また、回転子３は、円柱状の回転子鉄心５と、回転子鉄心５の外周面に固定された複数の永久磁石６とを有している。複数の永久磁石６は、回転子鉄心５の周方向へ等間隔に並べられている。
【００１３】
電機子４は、回転軸２及び回転子３と同軸に配置されている。これにより、電機子４は、電機子４の軸線を水平にして配置されている。また、電機子４の下部は、回転軸２を支持するハウジングに固定されている。電機子４の上部は、ハウジングに固定されずにハウジングから露出している。電機子４は、回転子３の外周を囲む円環状の電機子鉄心７と、電機子鉄心７に設けられた複数の電機子コイル８と、複数の電機子コイル８のそれぞれと電機子鉄心７との間に介在している図示しないインシュレータとを有している。
【００１４】
電機子鉄心７は、円環状に配置された１以上のコアブロック連結体１１を有している。この例では、４つのコアブロック連結体１１が円環状に連結されることによって電機子鉄心７が構成されている。
【００１５】
各コアブロック連結体１１は、複数のコアブロック１２を有している。この例では、９個のコアブロック１２が４つのコアブロック連結体１１のそれぞれに含まれている。従って、この例では、３６個のコアブロック１２が電機子鉄心７に含まれている。
【００１６】
各コアブロック１２は、バックヨーク１３と、バックヨーク１３の中間部から突出するティース１４とを有している。この例では、１つのバックヨーク１３から突出するティース１４の数が１つのみになっている。電機子鉄心７を構成する４つのコアブロック連結体１１は、バックヨーク１３同士が順次連結された状態でティース１４を径方向内側に向けて円環状に配置されている。
【００１７】
各ティース１４は、電機子鉄心７の周方向へ互いに間隔を置いて配置されている。これにより、互いに隣り合う２つのティース１４の間には、空間であるスロット１５が形成されている。
【００１８】
電機子コイル８は、各ティース１４にそれぞれ設けられている。この例では、インシュレータを介してティース１４に導線を集中巻きで巻くことにより、電機子コイル８がコアブロック１２ごとに設けられている。これにより、この例では、３６個の電機子コイル８が電機子鉄心７の周方向へ等間隔に配置されている。各スロット１５には、電機子コイル８が収まっている。
【００１９】
各コアブロック連結体１１の一端部に位置するコアブロック１２のバックヨーク１３の端部には、第１の連結体端面１１ａが形成されている。各コアブロック連結体１１の他端部に位置するコアブロック１２のバックヨーク１３の端部には、第２の連結体端面１１ｂが形成されている。第１及び第２の連結体端面１１ａ，１１ｂは、電機子鉄心７の径方向に沿った直線に対して電機子鉄心７の周方向へ傾斜している。
【００２０】
互いに隣り合う２つのコアブロック連結体１１同士は、一方のコアブロック連結体１１の第１の連結体端面１１ａと、他方のコアブロック連結体１１の第２の連結体端面１１ｂとが互いに接触した状態で連結体間溶接部１６によって連結されている。これにより、互いに隣り合う２つのコアブロック連結体１１は、電機子鉄心７の形状が円環状となる角度で互いに固定されている。連結体間溶接部１６は、電機子鉄心７の外周部に設けられている。また、連結体間溶接部１６は、互いに隣り合う２つのコアブロック連結体１１の境界に設けられている。
【００２１】
図２は、図１の電機子鉄心７におけるコアブロック連結体１１の一部を示す拡大平面図である。各コアブロック連結体１１では、互いに隣り合う２つのコアブロック１２同士が回転連結部１７によって連結されている。回転連結部１７は、互いに隣り合う２つのバックヨーク１３同士を回転可能に連結する連結部である。
【００２２】
電機子鉄心７では、互いに隣り合う２つのバックヨーク１３同士を固定する第１の溶接部１８及び第２の溶接部１９が各コアブロック連結体１１にそれぞれ設けられている。即ち、電機子鉄心７では、回転連結部１７によって連結されている２つのバックヨーク１３同士の回転が第１の溶接部１８及び第２の溶接部１９によって阻止されている。これにより、電機子鉄心７では、各コアブロック連結体１１の形状が円弧状に保たれている。電機子鉄心７の形状は、各コアブロック連結体１１の形状が円弧状に保たれることにより円環状に保たれている。第１の溶接部１８及び第２の溶接部１９は、電機子鉄心７の外周部に設けられている。また、第１の溶接部１８及び第２の溶接部１９は、回転連結部１７に対して周方向両側に設けられている。
【００２３】
コアブロック連結体１１は、１以上の第１のコア片配列層と、１以上の第２のコア片配列層とが軸線方向へ積層されることによって構成されている。
【００２４】
図３は、図１の電機子鉄心７のコアブロック連結体１１で積層されている第１のコア片配列層を示す平面図である。また、図４は、図１の電機子鉄心７のコアブロック連結体１１で積層されている第２のコア片配列層を示す平面図である。コアブロック連結体１１で積層されている第１のコア片配列層２１には、図３に示すように、複数のコア片のそれぞれが第１のコア片２２として並んでいる。コアブロック連結体１１で積層されている第２のコア片配列層２３には、複数のコア片のそれぞれが第２のコア片２４として並んでいる。第１のコア片２２及び第２のコア片２４のそれぞれは、鋼板を打ち抜いて形成された板部材である。この例では、第１のコア片配列層２１と第２のコア片配列層２３とが４層ずつ交互に積層されることによってコアブロック連結体１１が構成されている。
【００２５】
各コアブロック１２は、第１のコア片配列層２１に配置された第１のコア片２２と、第２のコア片配列層２３に配置された第２のコア片２４とが積層されることによって構成されている。この例では、第１のコア片２２と第２のコア片２４とが４層ずつ交互に積層されることによってコアブロック１２が構成されている。
【００２６】
第１のコア片２２及び第２のコア片２４のそれぞれは、バックヨーク片２５と、バックヨーク片２５の中間部から突出するティース片２６とを有している。第１のコア片２２及び第２のコア片２４のそれぞれの形状は、バックヨーク片２５及びティース片２６によってＴ字状になっている。バックヨーク１３は、第１及び第２のコア片２２，２４のそれぞれのバックヨーク片２５が積層されることによって構成されている。また、ティース１４は、第１及び第２のコア片２２，２４のそれぞれのティース片２６が積層されることによって構成されている。
【００２７】
図３に示すように、第１の連結体端面１１ａが形成されているコアブロック１２以外の各コアブロック１２の第１のコア片２２の一端部は、回転連結部１７に張り出した連結側端部２５ａになっている。また、第２の連結体端面１１ｂが形成されているコアブロック１２以外の各コアブロック１２の第１のコア片２２の他端部は、回転連結部１７を避けて形成された受け側端部２５ｂになっている。
【００２８】
図４に示すように、第２の連結体端面１１ｂが形成されているコアブロック１２以外の各コアブロック１２の第２のコア片２４の他端部は、回転連結部１７に張り出した連結側端部２５ａになっている。また、第１の連結体端面１１ａが形成されているコアブロック１２以外の各コアブロック１２の第２のコア片２４の一端部は、回転連結部１７を避けて形成された受け側端部２５ｂになっている。
【００２９】
第１のコア片配列層２１には、連結側端部２５ａと受け側端部２５ｂとが周方向へ互いに対向した状態で複数の第１のコア片２２が並んでいる。第２のコア片配列層２３には、連結側端部２５ａと受け側端部２５ｂとが周方向へ互いに対向した状態で複数の第２のコア片２４が並んでいる。また、各第１のコア片２２の連結側端部２５ａの向きと、各第２のコア片２４の連結側端部２５ａの向きとは、互いに逆向きになっている。
【００３０】
第１のコア片配列層２１及び第２のコア片配列層２３は、各ティース片２６の位置を軸線方向について合わせた状態で４層ずつ交互に積層されている。これにより、コアブロック連結体１１における回転連結部１７では、第１のコア片２２の連結側端部２５ａと第２のコア片２４の連結側端部２５ａとが軸線方向について４層ずつ交互に重なっている。軸線方向に積層される第１のコア片２２及び第２のコア片２４は、抜きかしめ部２７によって一体化されている。
【００３１】
回転連結部１７に位置する各連結側端部２５ａの表面には、凸部である連結軸２８が設けられている。また、回転連結部１７に位置する各連結側端部２５ａの裏面には、連結軸２８が嵌る凹部が設けられている。回転連結部１７では、互いに重なる２つの連結側端部２５ａのうち、一方の連結側端部２５ａの表面に設けられた連結軸２８が他方の連結側端部２５ａの裏面に設けられた凹部に嵌っている。これにより、回転連結部１７では、第１のコア片２２及び第２のコア片２４のそれぞれの連結側端部２５ａ同士が連結軸２８を中心に回転可能に連結されている。
【００３２】
即ち、回転連結部１７では、一方のコアブロック１２の第１のコア片２２の連結側端部２５ａと、他方のコアブロック１２の第２のコア片２４の連結側端部２５ａとが軸線方向へ互いに重なり、かつ第１のコア片２２及び第２のコア片２４のそれぞれの連結側端部２５ａ同士が連結軸２８を中心に回転可能に連結されている。
【００３３】
コアブロック連結体１１における第１のコア片配列層２１では、図３に示すように、互いに隣り合う２つの第１のコア片２２のうち、一方の第１のコア片２２の連結側端部２５ａに第１の接触端面２９が形成され、他方の第１のコア片２２の受け側端部２５ｂに第２の接触端面３０が形成されている。連結軸２８は、第１の接触端面２９及び第２の接触端面３０のそれぞれよりも径方向外側に位置している。第１の接触端面２９及び第２の接触端面３０のそれぞれは、電機子鉄心７の径方向に沿った直線に対して周方向へ傾斜している。第１の接触端面２９及び第２の接触端面３０は、ティース１４同士が近づく方向へ２つのコアブロック１２同士が連結軸２８を中心に回転することにより互いに接触する。
【００３４】
コアブロック連結体１１における第２のコア片配列層２３では、図４に示すように、互いに隣り合う２つの第２のコア片２４のうち、一方の第２のコア片２４の連結側端部２５ａに第１の接触端面３１が形成され、他方の第２のコア片２４の受け側端部２５ｂに第２の接触端面３２が形成されている。連結軸２８は、第１の接触端面３１及び第２の接触端面３２のそれぞれよりも径方向外側に位置している。第１の接触端面３１及び第２の接触端面３２のそれぞれは、電機子鉄心７の径方向に沿った直線に対して周方向へ傾斜している。第１の接触端面３１及び第２の接触端面３２は、ティース１４同士が近づく方向へ２つのコアブロック１２同士が連結軸２８を中心に回転することにより互いに接触する。
【００３５】
電機子鉄心７では、第１の接触端面２９と第２の接触端面３０とが互いに接触し、第１の接触端面３１と第２の接触端面３２とが互いに接触した状態で、互いに隣り合う２つのコアブロック１２同士が固定されている。これにより、コアブロック連結体１１の形状が円弧状に保たれている。コアブロック連結体１１の形状が円弧状に保たれている状態では、各ティース１４同士が近づく方向へのコアブロック１２同士の回転が阻止されており、各ティース１４同士が最も近づいた状態になっている。
【００３６】
コアブロック連結体１１における第１のコア片配列層２１では、図３に示すように、互いに隣り合う２つの第１のコア片２２の間に、ティース１４側とは反対側、即ち電機子鉄心７の径方向外側へ開放された第１の切欠き部３５が設けられている。
【００３７】
第１の切欠き部３５は、電機子鉄心７の外周部に設けられている。また、第１の切欠き部３５は、互いに隣り合う２つの第１のコア片２２のうち、一方の第１のコア片２２の連結側端部２５ａと、他方の第１のコア片２２の受け側端部２５ｂとの間に設けられている。この例では、第１のコア片２２の連結側端部２５ａの外周側の角部、及び第１のコア片２２の受け側端部２５ｂの外周側の角部のそれぞれに形成された２つの傾斜面により、Ｖ字状の第１の切欠き部３５が形成されている。
【００３８】
コアブロック連結体１１における第２のコア片配列層２３では、図４に示すように、互いに隣り合う２つの第２のコア片２４の間に、ティース１４側とは反対側、即ち電機子鉄心７の径方向外側へ開放された第２の切欠き部３６が設けられている。
【００３９】
第２の切欠き部３６は、電機子鉄心７の外周部に設けられている。また、第２の切欠き部３６は、互いに隣り合う２つの第２のコア片２４のうち、一方の第２のコア片２４の連結側端部２５ａと、他方の第２のコア片２４の受け側端部２５ｂとの間に設けられている。この例では、第２のコア片２４の連結側端部２５ａの外周側の角部、及び第２のコア片２４の受け側端部２５ｂの外周側の角部のそれぞれに形成された２つの傾斜面により、Ｖ字状の第２の切欠き部３６が形成されている。
【００４０】
第１及び第２のコア片２２，２４が積層されている方向に沿ってコアブロック１２を見たとき、第２のコア片２４において第１の切欠き部３５と一致する位置には、図４に示すように、ティース１４側とは反対側、即ち電機子鉄心７の径方向外側へ開放された第２の補助切欠き部３７が形成されている。これにより、第２の補助切欠き部３７は、電機子鉄心７の外周部に設けられている。この例では、第２の補助切欠き部３７の形状が、第１の切欠き部３５の形状と重なるＶ字状になっている。第２の補助切欠き部３７は、第２のコア片２４のバックヨーク片２５に設けられている。
【００４１】
第１及び第２のコア片２２，２４が積層されている方向に沿ってコアブロック１２を見たとき、第１のコア片２２において第２の切欠き部３６と一致する位置には、図３に示すように、ティース１４側とは反対側、即ち電機子鉄心７の径方向外側へ開放された第１の補助切欠き部３８が形成されている。これにより、第１の補助切欠き部３８は、電機子鉄心７の外周部に設けられている。この例では、第１の補助切欠き部３８の形状が、第２の切欠き部３６の形状と重なるＶ字状になっている。第１の補助切欠き部３８は、第１のコア片２２のバックヨーク片２５に設けられている。
【００４２】
図５は、図２のコアブロック連結体１１の一部を示す構成図である。第１の溶接部１８は、第１の切欠き部３５及び第２の補助切欠き部３７に連続して設けられている。これにより、第１の切欠き部３５及び第２の補助切欠き部３７は、第１の溶接部１８で埋められている。各コアブロック１２では、互いに重なる第１のコア片２２同士、互いに重なる第２のコア片２４同士、及び互いに重なる第１及び第２のコア片２２，２４同士が第１の溶接部１８によって積層方向について固定されている。また、コアブロック連結体１１では、回転連結部１７によって互いに連結された２つのコアブロック１２のうち、一方のコアブロック１２の第１のコア片２２と、他方のコアブロック１２の第１のコア片２２とが第１の溶接部１８によって互いに固定されている。
【００４３】
第２の溶接部１９は、第２の切欠き部３６及び第１の補助切欠き部３８に連続して設けられている。これにより、第２の切欠き部３６及び第１の補助切欠き部３８は、第２の溶接部１９で埋められている。各コアブロック１２では、互いに重なる第１のコア片２２同士、互いに重なる第２のコア片２４同士、及び互いに重なる第１及び第２のコア片２２，２４同士が第２の溶接部１９によって積層方向について固定されている。また、コアブロック連結体１１では、回転連結部１７によって互いに連結されている２つのコアブロック１２のうち、一方のコアブロック１２の第２のコア片２４と、他方のコアブロック１２の第２のコア片２４とが第２の溶接部１９によって互いに固定されている。
【００４４】
次に、電機子４の製造方法について説明する。
（連結体作製工程）
まず、図６及び図７に示すように、鋼板を金型で打ち抜くことにより、複数のコア片のそれぞれが第１のコア片２２として並ぶ１以上の第１のコア片配列層２１と、複数のコア片のそれぞれが第２のコア片２４として並ぶ１以上の第２のコア片配列層２３とをそれぞれ作製する。この後、１以上の第１のコア片配列層２１及び１以上の第２のコア片配列層２３を積層してプレスすることにより、複数のコアブロック１２をそれぞれ有する１以上のコアブロック連結体１１を作製する。
【００４５】
各コアブロック１２は、バックヨーク１３と、バックヨーク１３の中間部から突出するティース１４とを有している。各コアブロック連結体１１では、各コアブロック１２のバックヨーク１３同士が回転連結部１７によって順次連結されている。
【００４６】
図８は、図６及び図７の第１のコア片配列層２１と第２のコア片配列層２３とが積層されて構成されたコアブロック連結体１１の一部を示す拡大構成図である。回転連結部１７によって互いに連結されている２つのコアブロック１２同士は、互いに隣り合うティース１４同士の距離が変化する方向へ連結軸２８を中心に回転可能になっている。
【００４７】
コアブロック連結体１１における各ティース１４間の距離は、各第１のコア片２２の間で第１の接触端面２９及び第２の接触端面３０が互いに接触し、各第２のコア片２４の間で第１の接触端面３１及び第２の接触端面３２が互いに接触することにより、最も小さくなる。各ティース１４間の距離が最も小さくなっている状態では、コアブロック連結体１１の形状が円弧状になる。
【００４８】
コアブロック連結体１１では、各第１のコア片２２の間で第１の接触端面２９及び第２の接触端面３０が互いに接触することにより、各第１のコア片２２のそれぞれのバックヨーク片２５の間にＶ字状の第１の切欠き部３５が溶接用開先として形成される。また、コアブロック連結体１１では、各第２のコア片２４の間で第１の接触端面３１及び第２の接触端面３２が互いに接触することにより、各第２のコア片２４のそれぞれのバックヨーク片２５の間にＶ字状の第２の切欠き部３６が溶接用開先として形成される。第１及び第２のコア片２２，２４が積層されている方向に沿ってコアブロック連結体１１を見たときには、第２のコア片２４のバックヨーク片２５に溶接用開先として形成されたＶ字状の第２の補助切欠き部３７が第１の切欠き部３５の位置と一致する。また、第１及び第２のコア片２２，２４が積層されている方向に沿ってコアブロック連結体１１を見たときには、第１のコア片２２のバックヨーク片２５に溶接用開先として形成されたＶ字状の第１の補助切欠き部３８が第２の切欠き部３６の位置と一致する。
【００４９】
各ティース１４間の距離が大きくなる方向へ各コアブロック１２同士が回転してコアブロック連結体１１が展開されると、第１の接触端面２９及び第２の接触端面３０が互いに離れるとともに、第１の接触端面３１及び第２の接触端面３２が互いに離れる。これにより、コアブロック連結体１１が展開されると、第１の切欠き部３５及び第２の切欠き部３６のそれぞれのＶ字状の形状が崩れる。
【００５０】
（電機子コイル設置工程）
連結体作製工程の後、図９に示すように、各ティース１４間の距離が大きくなる方向へ連結軸２８を中心にコアブロック１２同士を回転させることによりコアブロック連結体１１を展開する。この後、コアブロック連結体１１を展開した状態で、ティース１４にインシュレータを介して導線を巻くことにより、各ティース１４に電機子コイル８を設ける。
【００５１】
（溶接工程）
電機子コイル設置工程の後、連結軸２８を中心にコアブロック１２同士を回転させてコアブロック連結体１１の展開状態を戻し、コアブロック連結体１１の形状を円弧状にする。この後、電機子コイル８をそれぞれ設けた１以上の円弧状のコアブロック連結体１１を円環状に配置する。この例では、図１０に示すように、４つの円弧状のコアブロック連結体１１を円環状に配置する。このとき、互いに隣り合う２つのコアブロック連結体１１のうち、一方のコアブロック連結体１１の第１の連結体端面１１ａと、他方のコアブロック連結体１１の第２の連結体端面１１ｂとを互いに接触させる。この後、互いに隣り合う２つのコアブロック１２同士を溶接によって固定する。このとき、コアブロック連結体１１とは別の溶加材であるソリッドワイヤを溶融しながら、コアブロック連結体１１に対して溶接を行う。即ち、コアブロック連結体１１に対して肉盛溶接を行う。
【００５２】
溶接は、図５に示すように、コアブロック連結体１１におけるすべてのコア片配列層にわたって、コアブロック連結体１１の外周側からソリッドワイヤを溶融しながら第１の切欠き部３５及び第２の補助切欠き部３７に連続して行う。これにより、第１の切欠き部３５及び第２の補助切欠き部３７には、第１の溶接部１８が設けられる。また、溶接は、コアブロック連結体１１におけるすべてのコア片配列層にわたって、コアブロック連結体１１の外周側からソリッドワイヤを溶融しながら第２の切欠き部３６及び第１の補助切欠き部３８にも連続して行う。これにより、第２の切欠き部３６及び第１の補助切欠き部３８には、第２の溶接部１９が設けられる。コアブロック連結体１１の形状は、第１の溶接部１８及び第２の溶接部１９によって円弧状に固定される。
【００５３】
さらに、互いに隣り合う２つのコアブロック連結体１１の境界にも、コアブロック連結体１１の外周側からソリッドワイヤを溶融しながら溶接を行う。これにより、２つのコアブロック連結体１１の境界の位置に連結体間溶接部１６が形成され、互いに隣り合う２つのコアブロック連結体１１同士が固定される。このようにして、電機子鉄心７が製造され、電機子４が製造される。
【００５４】
このような回転電機の電機子鉄心７では、第１のコア片配列層２１において互いに隣り合う２つの第１のコア片２２の間に、ティース１４側とは反対側へ開放された第１の切欠き部３５が形成され、回転連結部１７によって互いに連結された２つのコアブロック１２同士を固定する第１の溶接部１８が第１の切欠き部３５に設けられている。このため、第１の溶接部１８の深さ、即ち第１のコア片２２同士の突き合わせ溶接におけるのど厚の大きさを大きくすることができ、各コアブロック１２同士を高強度及び高剛性で固定することができる。これにより、他の固定手段を用いずに電機子鉄心７の形状を円環状に保つことができ、例えば円筒状のハウジングの内面に電機子鉄心７を嵌める作業をなくすことができる。このようなことから、電機子鉄心７の生産性の向上を図ることができ、電機子鉄心７のコストの低減化を図ることができる。
【００５５】
また、第１及び第２のコア片２２，２４が積層されている方向に沿ってコアブロック１２を見たとき、第２のコア片２４において第１の切欠き部３５と一致する位置には、ティース１４側とは反対側へ開放された第２の補助切欠き部３７が形成されており、第１の溶接部１８が第１の切欠き部３５及び第２の補助切欠き部３７に連続して設けられている。このため、互いに隣り合う２つの第１のコア片２２だけでなく、互いに重なる第１及び第２のコア片２２，２４同士も第１の溶接部１８によって固定することができる。これにより、他の固定手段を用いずに電機子鉄心７の形状をさらに確実に円環状に保つことができる。
【００５６】
また、第２のコア片配列層２３において互いに隣り合う２つの第２のコア片２４の間には、ティース１４側とは反対側へ開放された第２の切欠き部３６が形成され、回転連結部１７によって互いに連結された２つのコアブロック１２同士を固定する第２の溶接部１９が第２の切欠き部３６に設けられている。このため、第２の溶接部１９の深さ、即ち第２のコア片２４同士の突き合わせ溶接におけるのど厚の大きさを大きくすることができ、各コアブロック１２同士を高強度及び高剛性で固定することができる。これにより、回転連結部１７によって互いに連結された２つのコアブロック１２同士を第１の溶接部１８及び第２の溶接部１９のそれぞれによって固定することができ、他の固定手段を用いずに電機子鉄心７の形状をさらに確実に円環状に保つことができる。従って、電機子鉄心７の生産性の向上を図ることができ、電機子鉄心７のコストの低減化を図ることができる。
【００５７】
また、第１及び第２のコア片２２，２４が積層されている方向に沿ってコアブロック１２を見たとき、第１のコア片２２において第２の切欠き部３６と一致する位置には、ティース１４側とは反対側へ開放された第１の補助切欠き部３８が形成されており、第２の溶接部１９が第２の切欠き部３６及び第１の補助切欠き部３８に連続して設けられている。このため、互いに隣り合う２つの第２のコア片２４だけでなく、互いに重なる第１及び第２のコア片２２，２４同士も第２の溶接部１９によって固定することができる。これにより、他の固定手段を用いずに電機子鉄心７の形状をさらに確実に円環状に保つことができる。
【００５８】
また、このようなコアブロック連結体１１では、第１のコア片配列層２１において互いに隣り合う２つの第１のコア片２２の間に、ティース１４側とは反対側へ開放された第１の切欠き部３５が溶接用開先として形成されている。このため、第１の切欠き部３５を埋めるように肉盛溶接によって第１の溶接部１８を設けることができ、第１の溶接部１８の深さ、即ち第１のコア片２２同士の突き合わせ溶接におけるのど厚の大きさを大きくすることができる。これにより、各コアブロック１２同士を高強度及び高剛性で固定することができ、他の固定手段を用いずに円弧状を保つコアブロック連結体１１を容易に形成することができる。従って、電機子鉄心７の生産性の向上を図ることができ、電機子鉄心７のコストの低減化を図ることができる。
【００５９】
また、コアブロック連結体１１では、第１及び第２のコア片２２，２４が積層されている方向に沿ってコアブロック１２を見たとき、第２のコア片２４において第１の切欠き部３５と一致する位置に、ティース１４側とは反対側へ開放された第２の補助切欠き部３７が溶接用開先として形成されている。このため、第１の切欠き部３５及び第２の補助切欠き部３７のそれぞれを連続して埋めるように肉盛溶接によって第１の溶接部１８を設けることができる。これにより、互いに隣り合う２つの第１のコア片２２同士だけでなく、互いに重なる第１及び第２のコア片２２，２４同士も第１の溶接部１８によって固定することができる。従って、他の固定手段を用いずに円弧状を保つコアブロック連結体１１をさらに確実に形成することができる。
【００６０】
また、コアブロック連結体１１では、第２のコア片配列層２３において互いに隣り合う２つの第２のコア片２４の間に、ティース１４側とは反対側へ開放された第２の切欠き部３６が溶接用開先として形成されている。このため、第２の切欠き部３６を埋めるように肉盛溶接によって第２の溶接部１９を設けることができ、第２の溶接部１９の深さ、即ち第２のコア片２４同士の突き合わせ溶接におけるのど厚の大きさを大きくすることができる。これにより、回転連結部１７によって互いに連結された２つのコアブロック１２同士を第１の溶接部１８及び第２の溶接部１９のそれぞれによって固定することができ、他の固定手段を用いずに円弧状を保つコアブロック連結体１１をさらに確実に形成することができる。
【００６１】
また、コアブロック連結体１１では、第１及び第２のコア片２２，２４が積層されている方向に沿ってコアブロック１２を見たとき、第１のコア片２２において第２の切欠き部３６と一致する位置に、ティース１４側とは反対側へ開放された第１の補助切欠き部３８が溶接用開先として形成されている。このため、第２の切欠き部３６及び第１の補助切欠き部３８のそれぞれを連続して埋めるように肉盛溶接によって第２の溶接部１９を設けることができる。これにより、互いに隣り合う２つの第２のコア片２４同士だけでなく、互いに重なる第１及び第２のコア片２２，２４同士も第２の溶接部１９によって固定することができる。従って、他の固定手段を用いずに円弧状を保つコアブロック連結体１１をさらに確実に形成することができる。
【００６２】
また、このような電機子鉄心７の製造方法には、１以上のコアブロック連結体１１を円環状に配置し、互いに隣り合う２つの第１のコア片２２の間に形成された第１の切欠き部３５にソリッドワイヤを溶融しながら溶接を行う溶接工程が含まれている。このため、第１の切欠き部３５を埋めるように肉盛溶接を行うことができ、第１のコア片２２同士の突き合わせ溶接におけるのど厚の大きさを大きくすることができる。これにより、回転連結部１７によって連結された２つのコアブロック１２同士を高強度及び高剛性で固定することができる。また、溶接時の熱の大部分がソリッドワイヤの溶融に使われるため、コアブロック１２自体を溶融して大きなのど厚を確保しようとする場合に比べて電機子鉄心７全体への伝熱を減らすことができ、電機子鉄心７全体が溶接歪みによる悪影響を受けにくくすることができる。これにより、他の固定手段を用いずに円環状を保つ電機子鉄心７を容易にかつより確実に製造することができる。従って、電機子鉄心７の生産性の向上を図ることができ、電機子鉄心７のコストの低減化を図ることができる。
【００６３】
また、溶接工程では、第１の切欠き部３５と、第２のコア片２４に形成された第２の補助切欠き部３７とに連続してソリッドワイヤを溶融しながら溶接を行う。このため、互いに隣り合う２つの第１のコア片２２同士だけでなく、互いに重なる第１及び第２のコア片２２，２４同士も高強度及び高剛性で固定することができ、他の固定手段を用いずに円環状を保つ電機子鉄心７をさらに確実に形成することができる。
【００６４】
また、溶接工程では、互いに隣り合う２つの第２のコア片２４の間に形成された第２の切欠き部３６にソリッドワイヤを溶融しながら溶接を行う。このため、第２の切欠き部３６を埋めるように肉盛溶接を行うことができ、第２のコア片２４同士の突き合わせ溶接におけるのど厚の大きさを大きくすることができる。これにより、回転連結部１７によって互いに連結された２つのコアブロック１２同士を第１の切欠き部３５及び第２の切欠き部３６のそれぞれにおける肉盛溶接によって固定することができ、他の固定手段を用いずに円環状を保つ電機子鉄心７をさらに確実に形成することができる。
【００６５】
また、溶接工程では、第２の切欠き部３６と、第１のコア片２２に形成された第１の補助切欠き部３８とに連続してソリッドワイヤを溶融しながら溶接を行う。このため、互いに隣り合う２つの第２のコア片２４同士だけでなく、互いに重なる第１及び第２のコア片２２，２４同士も高強度及び高剛性で固定することができ、他の固定手段を用いずに円環状を保つ電機子鉄心７をさらに確実に形成することができる。
【００６６】
実施の形態２．
図１１は、この発明の実施の形態２による回転電機の電機子鉄心の要部を示す構成図である。第１の溶接部１８は、第２の補助切欠き部３７の一部を避けて、第１の切欠き部３５及び第２の補助切欠き部３７に連続して設けられている。即ち、第１の溶接部１８は、第１の切欠き部３５の全体と、第２の補助切欠き部３７の一部の非溶接範囲を除く残りの部分とに連続して設けられている。この例では、積層方向へ連続して重なる４層の第２のコア片２４のうち、第１のコア片２２に重なる１層の第２のコア片２４に形成された第２の補助切欠き部３７に第１の溶接部１８が設けられ、他の第２のコア片２４に形成された第２の補助切欠き部３７には第１の溶接部１８が設けられていない。
【００６７】
第２の溶接部１９は、第１の補助切欠き部３８の一部を避けて、第２の切欠き部３６及び第１の補助切欠き部３８に連続して設けられている。即ち、第２の溶接部１９は、第２の切欠き部３６の全体と、第１の補助切欠き部３８の一部の非溶接範囲を除く残りの部分とに連続して設けられている。この例では、積層方向へ連続して重なる４層の第１のコア片２２のうち、第２のコア片２４に重なる１層の第１のコア片２２に形成された第１の補助切欠き部３８に第２の溶接部１９が設けられ、他の第１のコア片２２に形成された第１の補助切欠き部３８には第２の溶接部１９が設けられていない。
【００６８】
これにより、第１の溶接部１８及び第２の溶接部１９のそれぞれの一部の範囲は、第１及び第２のコア片２２，２４の積層方向について互いに重なっている。他の構成は実施の形態１と同様である。
【００６９】
実施の形態２での電機子４の製造方法は、溶接工程を除き、実施の形態１と同様である。
【００７０】
溶接工程では、コアブロック連結体１１における一部の第２のコア片配列層２３の第２の補助切欠き部３７を避けて、コアブロック連結体１１の外周側からソリッドワイヤを溶融しながら第１の切欠き部３５及び第２の補助切欠き部３７に連続して溶接を行う。これにより、第１の切欠き部３５の全体と、第２の補助切欠き部３７の一部の非溶接範囲を除く残りの部分とに第１の溶接部１８が連続して設けられる。
【００７１】
また、溶接工程では、コアブロック連結体１１における一部の第１のコア片配列層２１の第１の補助切欠き部３８を避けて、コアブロック連結体１１の外周側からソリッドワイヤを溶融しながら第２の切欠き部３６及び第１の補助切欠き部３８に連続して溶接を行う。これにより、第２の切欠き部３６の全体と、第１の補助切欠き部３８の一部の非溶接範囲を除く残りの部分とに第２の溶接部１９が連続して設けられる。
【００７２】
このように実施の形態２では、第２の補助切欠き部３７の一部を避けて、第１の切欠き部３５及び第２の補助切欠き部３７に第１の溶接部１８が連続して設けられ、第１の補助切欠き部３８の一部を避けて、第２の切欠き部３６及び第１の補助切欠き部３８に第２の溶接部１９が連続して設けられている。このため、溶接に必要なソリッドワイヤの量を少なくすることができ、コストのさらなる低減化を図ることができる。また、第１の溶接部１８及び第２の溶接部１９のそれぞれの一部の範囲が第１及び第２のコア片２２，２４の積層方向について互いに重なっている。これにより、各コアブロック１２同士を高強度及び高剛性で固定することができ、他の固定手段を用いずに電機子鉄心７の形状を円環状に保つことができる。
【００７３】
実施の形態３．
図１２は、この発明の実施の形態３による回転電機の電機子鉄心の要部を示す拡大平面図である。電機子鉄心７では、回転連結部１７によって互いに連結された２つのコアブロック１２のうち、一方のコアブロック１２の第１のコア片２２の第１の接触端面２９と、他方のコアブロック１２の第１のコア片２２の第２の接触端面３０とが、連結軸２８の周方向について互いに接触している。また、電機子鉄心７では、回転連結部１７によって互いに連結された２つのコアブロック１２のうち、他方のコアブロック１２の第２のコア片２２の第１の接触端面３１と、一方のコアブロック１２の第２のコア片２４の第２の接触端面３２とが、連結軸２８の周方向について互いに接触している。
【００７４】
即ち、第１のコア片配列層２１において互いに隣り合う２つの第１のコア片２２には、連結軸２８の周方向について互いに接触する第１及び第２の接触端面２９，３０が形成されている。また、第２のコア片配列層２３において互いに隣り合う２つの第２のコア片２４には、連結軸２８の周方向について互いに接触する第１及び第２の接触端面３１，３２が形成されている。
【００７５】
一方のコアブロック１２における第１のコア片２２の第１の接触端面２９には、凹部４１が設けられている。他方のコアブロック１２における第１のコア片２２の第２の接触端面３０には、凹部４１に嵌る突起４２が設けられている。凹部４１及び突起４２は、連結軸２８を中心とする共通の円弧に沿って設けられている。これにより、２つのコアブロック１２同士が連結軸２８を中心に回転すると、第１のコア片２２の突起４２が第１のコア片２２の凹部４１に対して嵌ったり外れたりする。
【００７６】
他方のコアブロック１２における第２のコア片２４の第１の接触端面３１には、凹部４３が設けられている。一方のコアブロック１２における第２のコア片２４の第２の接触端面３２には、凹部４３に嵌る突起４４が設けられている。凹部４３及び突起４４は、連結軸２８を中心とする共通の円弧に沿って設けられている。これにより、２つのコアブロック１２同士が連結軸２８を中心に回転すると、第２のコア片２４の突起４４が第２のコア片２４の凹部４３に対して嵌ったり外れたりする。
【００７７】
コアブロック連結体１１の形状は、突起４２が凹部４１に嵌るとともに突起４４が凹部４３に嵌ることにより、円弧状になる。他の構成は実施の形態１と同様である。
【００７８】
電機子鉄心７の製造方法は、実施の形態１と同様である。溶接工程では、突起４２が凹部４１に嵌り、突起４４が凹部４３に嵌った状態、即ちコアブロック連結体１１の形状が円弧状になっている状態で、ソリッドワイヤを溶融しながら第１の切欠き部３５及び第２の補助切欠き部３７に溶接を連続して行う。また、コアブロック連結体１１の形状が円弧状になっている状態で、第２の切欠き部３６及び第１の補助切欠き部３８にもソリッドワイヤを溶融しながら溶接を連続して行う。これにより、第１の切欠き部３５及び第２の補助切欠き部３７には第１の溶接部１８が連続して設けられ、第２の切欠き部３６及び第１の補助切欠き部３８には第２の溶接部１９が連続して設けられる。
【００７９】
第１の切欠き部３５及び第２の補助切欠き部３７に第１の溶接部１８を設け、第２の切欠き部３６及び第１の補助切欠き部３８に第２の溶接部１９を設けると、第１の溶接部１８及び第２の溶接部１９のそれぞれを中心として溶接歪みが生じるおそれがある。しかし、各突起４２，４４は、連結軸２８を中心とする２つのコアブロック１２同士の回転によってのみ各凹部４１，４３から外れる。このため、連結軸２８の位置と異なる位置に存在する第１の溶接部１８及び第２の溶接部１９のそれぞれを中心として２つのコアブロック１２が互いに離れる方向へ溶接歪みの力が加わっても、各突起４２，４４が各凹部４１，４３から外れることはない。これにより、第１及び第２の溶接部１８，１９のそれぞれを設けるときでも、各突起４２，４４が各凹部４１，４３に嵌った状態が維持され、溶接歪みが抑制される。
【００８０】
このような電機子鉄心７及びコアブロック連結体１１では、第１の接触端面２９，３１のそれぞれに凹部４１，４３が設けられ、第２の接触端面３０，３２のそれぞれに、凹部４１，４３が嵌る突起４２，４４が設けられている。また、凹部４１，４３及び突起４２，４４は、連結軸２８を中心とする共通の円弧に沿って設けられている。このため、連結軸２８の位置と異なる位置に存在する第１の溶接部１８及び第２の溶接部１９のそれぞれを中心として２つのコアブロック１２が互いに離れる方向へ溶接歪みの力が加わっても、各突起４２，４４が各凹部４１，４３に嵌った状態を維持することができる。これにより、第１の溶接部１８及び第２の溶接部１９のそれぞれによる溶接歪みを抑制することができ、回転連結部１７によって互いに連結された２つのコアブロック１２同士の位置ずれを抑制することができる。従って、電機子鉄心７の形状をさらに確実に円環状に保つことができる。また、各突起４２，４４が各凹部４１，４３に嵌った状態が溶接時に維持されるので、溶接作業を容易にすることができる。
【００８１】
なお、上記の例では、第１のコア片配列層２１及び第２のコア片配列層２３のそれぞれの第１の接触端面２９，３１に凹部４１，４３が設けられ、第１のコア片配列層２１及び第２のコア片配列層２３のそれぞれの第２の接触端面３０，３２に突起４２，４４が設けられている。しかし、第１のコア片配列層２１の第１及び第２の接触端面２９，３０にのみ凹部４１及び突起４２を設けてもよい。また、第２のコア片配列層２３の第１及び第２の接触端面３１，３２にのみ凹部４３及び突起４４を設けてもよい。さらに、第１の接触端面２９，３１に突起４２，４４を設け、第２の接触端面３０，３２に凹部４１，４３を設けてもよい。即ち、第１のコア片配列層２１及び第２のコア片配列層２３の少なくともいずれかにおいて、連結軸２８の周方向について互いに接触する第１及び第２の接触端面のうち、一方に凹部４１，４３が設けられ、他方に突起４２，４４が設けられていればよい。
【００８２】
また、実施の形態１及び３では、第１の溶接部１８が第１の切欠き部３５及び第２の補助切欠き部３７に連続して設けられている。しかし、第２の補助切欠き部３７を避けて第１の切欠き部３５に第１の溶接部１８を設けてもよい。このようにしても、互いに隣り合う２つの第１のコア片２２同士を第１の溶接部１８によって固定することができ、回転連結部１７によって互いに連結された２つのコアブロック１２同士を固定することができる。また、第２の補助切欠き部３７を避けて第１の切欠き部３５に第１の溶接部１８を設ける場合、第２の補助切欠き部３７はなくてもよい。
【００８３】
また、実施の形態１及び３では、第２の溶接部１９が第２の切欠き部３６及び第１の補助切欠き部３８に連続して設けられている。しかし、第１の補助切欠き部３８を避けて第２の切欠き部３６に第２の溶接部１９を設けてもよい。このようにしても、互いに隣り合う２つの第２のコア片２４同士を第２の溶接部１９によって固定することができ、回転連結部１７によって互いに連結された２つのコアブロック１２同士を固定することができる。また、第１の補助切欠き部３８を避けて第２の切欠き部３６に第２の溶接部１９を設ける場合、第１の補助切欠き部３８はなくてもよい。
【００８４】
また、実施の形態１及び３では、第１の溶接部１８が第１の切欠き部３５に設けられ、第２の溶接部１９が第２の切欠き部３６に設けられている。しかし、第２の切欠き部３６に第２の溶接部１９を設けずに第１の切欠き部３５に第１の溶接部１８だけを設けてもよい。また、第１の切欠き部３５に第１の溶接部１８を設けずに第２の切欠き部３６に第２の溶接部１９だけを設けてもよい。さらに、コアブロック連結体１１におけるすべてのコアブロック１２間の回転連結部１７のうち、第２の溶接部１９を設けずに第１の溶接部１８だけを設けた回転連結部１７と、第１の溶接部１８を設けずに第２の溶接部１９だけを設けた回転連結部１７とが混在していてもよい。従って、コアブロック連結体１１において、すべての第１の切欠き部３５のうちの一部の第１の切欠き部３５にだけ第１の溶接部１８を設け、すべての第２の切欠き部３６のうちの一部の第２の切欠き部３６にだけ第２の溶接部１９を設けてもよい。
【００８５】
また、各上記実施の形態では、第１のコア片配列層２１及び第２のコア片配列層２３が４層ずつ交互に積層されているが、これに限定されない。例えば、第１のコア片配列層２１及び第２のコア片配列層２３を１層ずつ、２層ずつ、３層ずつ又は５層以上ずつ交互に積層してもよい。
【００８６】
また、各上記実施の形態では、円環状に配置された４つのコアブロック連結体１１が電機子鉄心７に含まれているが、電機子鉄心７に含まれるコアブロック連結体１１の数はこれに限定されない。例えば、１つ、２つ、３つ又は５つ以上のコアブロック連結体１１を円環状に配置してもよい。
【００８７】
また、各上記実施の形態では、第１の切欠き部３５及び第２の切欠き部３６のそれぞれの形状がＶ字状になっているが、第１の切欠き部３５及び第２の切欠き部３６のそれぞれの形状は、これに限定されない。例えば、第１の切欠き部３５及び第２の切欠き部３６の少なくともいずれかの形状をＵ字状にしてもよい。このようにしても、第１の溶接部１８及び第２の溶接部１９のそれぞれの深さ、即ち突き合わせ溶接におけるのど厚を大きく確保することができ、回転連結部１７によって互いに連結された２つのコアブロック１２同士を高強度かつ高剛性で固定することができる。
【符号の説明】
【００８８】
１  回転電機、７  電機子鉄心、１１  コアブロック連結体、１２  コアブロック、１３  バックヨーク、１４  ティース、１７  回転連結部、１８  第１の溶接部、１９  第２の溶接部、２１  第１のコア片配列層、２２  第１のコア片、２３  第２のコア片配列層、２４  第２のコア片、２５ａ  連結側端部、２８  連結軸、２９，３１  第１の接触端面、３０，３２  第２の接触端面、３５  第１の切欠き部、３６  第２の切欠き部、３７  第２の補助切欠き部、３８  第１の補助切欠き部、４１，４３  凹部、４２，４４  突起。
【図１】
2019087339.tif 000003
【図２】
2019087339.tif 000004
【図３】
2019087339.tif 000005
【図４】
2019087339.tif 000006
【図５】
2019087339.tif 000007
【図６】
2019087339.tif 000008
【図７】
2019087339.tif 000009
【図８】
2019087339.tif 000010
【図９】
2019087339.tif 000011
【図１０】
2019087339.tif 000012
【図１１】
2019087339.tif 000013
【図１２】
2019087339.tif 000014
【国際調査報告】
2019087339.tif 000015
2019087339.tif 000016
2019087339.tif 000017
2019087339.tif 000018